(57)【要約】【課題】本発明は、煩雑なプリーツ加工を施すことなく、高齢者などであっても、片手でコンパクトに折りたたむことが容易で、折りたたんでも嵩張ることが無い縫製品及びその縫製品を簡便に縫製する製作方法を提供する。【課題を解決するための手段】縫製品の伸長方向に交差する方向に、布帛を内側に折りたたみ可能に内側から縫い合わされた第１の谷折り部１１ａと、前記第１の谷折り部１１ａから前記伸長方向の両側に離間して、前記交差する方向に延びる第１及び第２の端辺１５ａ、１５ｂと、前記第１の谷折り部１１ａの一点を介して前記第１の端辺１５ａの一端と前記第２の端辺１５ｂの一端とを結ぶ、布帛を外側に折りたたみ可能に外側から縫い合わされた第１の山折り部１２と、前記第１の谷折り部１１ａの前記一点を介して前記第１の端辺１５ａの他端と前記第２の端辺１５ｂの他端とを結ぶ、布帛を外側に折りたたみ可能に外側から縫い合わされた第２の山折り部１２と、を有する縫製品とした。【選択図】図３
2020176368.tif 000002
【特許請求の範囲】
【請求項１】
縫製品の伸長方向に交差する方向に、布帛を内側に折りたたみ可能に内側から縫い合わされた第１の谷折り部と、
前記第１の谷折り部から前記伸長方向の両側に離間して、前記交差する方向に延びる第１及び第２の端辺と、
前記第１の谷折り部の一点を介して前記第１の端辺の一端と前記第２の端辺の一端とを結ぶ、布帛を外側に折りたたみ可能に外側から縫い合わされた第１の山折り部と、
前記第１の谷折り部の前記一点を介して前記第１の端辺の他端と前記第２の端辺の他端とを結ぶ、布帛を外側に折りたたみ可能に外側から縫い合わされた第２の山折り部と、
を有する縫製品。
【請求項２】
縫製品の伸長方向に交差する方向に、布帛を内側に折りたたみ可能に内側から縫い合わされた第１の谷折り部と、
前記第１の谷折り部から前記伸長方向の一方の側に離間して、前記交差する方向に、布帛を内側に折りたたみ可能に内側から縫い合わされた第２の谷折り部と、
前記第１の谷折り部から前記伸長方向の他方の側に離間して、前記交差する方向に、布帛を内側に折りたたみ可能に内側から縫い合わされた他の第２の谷折り部と、
前記第１の谷折り部の一点を介して前記第２の谷折り部の一端と前記他の第２の谷折り部の一端とを結ぶ、布帛を外側に折りたたみ可能に外側から縫い合わされた第１の山折り部と、
前記第１の谷折り部の前記一点を介して前記第２の谷折り部の他端と前記他の第２の谷折り部の他端とを結ぶ、布帛を外側に折りたたみ可能に外側から縫い合わされた第２の山折り部と、
を有する縫製品。
【請求項３】
縫製品の伸長方向に交差する方向に延びる端辺と、
前記端辺から前記伸長方向の一方の側に離間して、前記交差する方向に、布帛を内側に折りたたみ可能に内側から縫い合わされた第１の谷折り部と、
前記第１の谷折り部から前記伸長方向の一方の側に離間して、前記交差する方向に、布帛を内側に折りたたみ可能に内側から縫い合わされた第２の谷折り部と、
前記第１の谷折り部の一点を介して前記第２の谷折り部の一端と前記端辺の一端とを結ぶ、布帛を外側に折りたたみ可能に外側から縫い合わされた第１の山折り部と、
前記第１の谷折り部の前記一点を介して前記第２の谷折り部の他端と前記端辺の他端とを結ぶ、布帛を外側に折りたたみ可能に外側から縫い合わされた第２の山折り部と、
を有する縫製品。
【請求項４】
前記第２の谷折り部から前記伸長方向の一方の側に離間して、前記交差する方向に、布帛を内側に折りたたみ可能に内側から縫い合わされた第３の谷折り部と、
前記第３の谷折り部から前記伸長方向の一方の側に離間して、前記交差する方向に、布帛を内側に折りたたみ可能に内側から縫い合わされた第４の谷折り部と、
前記第３の谷折り部の一点を介して前記第２の谷折り部の一端と前記第４の谷折り部の一端とを結ぶ、布帛を外側に折りたたみ可能に外側から縫い合わされた第３の山折り部と、
前記第３の谷折り部の前記一点を介して前記第２の谷折り部の他端と前記第４の谷折り部の他端とを結ぶ、布帛を外側に折りたたみ可能に外側から縫い合わされた第４の山折り部と、
を更に有する、請求項２又は３に記載の縫製品。
【請求項５】
前記第１の谷折り部の一点は、前記第１の谷折り部の中点であり、
前記端辺又は前記谷折り部と前記第１及び第２の前記山折り部のそれぞれの一部が二等辺三角形を形成し、
前記第２の谷折り部又は他の前記端辺と前記第１及び第２の山折り部のそれぞれの別の一部が二等辺三角形を形成する、請求項１〜４のいずれか一項に記載の縫製品。
【請求項６】
縫製品の伸長方向に交差する方向に布帛を内側に折りたたみ可能に内側から縫い合わせされた第１の谷折り部と、前記第１の谷折り部から前記伸長方向の両側に離間して、前記交差する方向に延びる第１及び第２の端辺と、を形成する谷折り部形成工程と、
前記第１の谷折り部の前記一点を介して前記端辺の一端と前記第２の端辺の一端とを結ぶ第１の山折り部と、前記第１の谷折り部の前記一点を介して前記第１の端辺の他端と前記第２の端辺の他端とを結ぶ第２の山折り部と、を布帛を外側に折りたたみ可能に外側から縫い合わせて形成する山折り部形成工程と、
を含む製作方法。
【請求項７】
縫製品の伸長方向に交差する方向に布帛を内側に折りたたみ可能に内側から縫い合わせて形成する第１及び第２の谷折り部と、前記第１の谷折り部から前記第２の谷折り部と前記伸長方向の反対方向に離間し前記伸長方向に交差する方向に延びる端辺と、を形成する谷折り部形成工程と、
前記第１の谷折り部の前記一点を介して前記第２の谷折り部の一端と前記端辺の一端とを結ぶ第１の山折り部と、前記第１の谷折り部の前記一点を介して前記第２の谷折り部の他端と前記端辺の他端とを結ぶ第２の山折り部と、を布帛を外側に折りたたみ可能に外側から縫い合わせて形成する山折り部形成工程と、
を含む製作方法。
【請求項８】
四角形の布帛の１本の対角線を内側に折りたたみ可能に内側から縫い合わせて谷折り部を形成する谷折り部形成工程と、
前記四角形の布帛の一辺と、他の前記四角形の布帛の一辺とを、それぞれの前記四角形の布帛が有するそれぞれの谷折り部を平行に配置して、外側に折りたたみ可能に外側から縫いあわせ山折り部を形成する山折り部形成工程と、
を含む、製作方法。
【請求項９】
２枚の三角形の布帛のそれぞれ三角形の一辺を内側に折りたたみ可能に内側から縫い合わせて谷折り部を形成する谷折り部形成工程と、
当該谷折り部形成工程で形成された四角形の布帛の一辺と、他の当該四角形の布帛の一辺とを、それぞれの当該四角形が有するそれぞれの谷折り部を平行に配置して、外側に折りたたみ可能に外側から縫いあわせ山折り部を形成する山折り部形成工程と、
を含む製作方法。
【請求項１０】
縫製品の伸長方向に交差する方向に布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記２つの切替谷折り部及び前記山折り部から前記伸長方向の両側に離間して、前記交差する方向に延びる第１及び第２の端辺と、
前記第２の端辺の両端をそれぞれ前記山折り部の両端に連結して外側に折りたたみ可能に外側から縫い合わされた２つの第１の斜方山折り部と、
前記第１の端辺の両端をそれぞれ前記山折り部の両端に連結して外側に折りたたみ可能に外側から縫い合わされた２つの第２の斜方山折り部と、
を有する縫製品。
【請求項１１】
縫製品の伸長方向に交差する方向に延びる端辺と、
前記端辺から前記伸長方向の一方の側に離間して、布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記２つの切替谷折り部及び前記山折り部から前記伸長方向の一方の側に離間して、前記交差する方向に延びる第１の谷折り部と、
前記端辺の両端をそれぞれ前記山折り部の両端に連結して外側に折りたたみ可能に外側から縫い合わされた２つの第１の斜方山折り部と、
前記第１の谷折り部の両端をそれぞれ前記山折り部の両端に連結して外側に折りたたみ可能に外側から縫い合わされた２つの第２の斜方山折り部と、
を有する、縫製品。
【請求項１２】
前記第１の谷折り部から前記伸長方向の一方の側に離間して、布帛を内側に折りたたみ可能に内側から縫い合わされた２つの別の切替谷折り部及び前記２つの別の切替谷折り部の間に連結して布帛を外側に折りたたみ可能に外側から縫い合わされた別の山折り部と、
前記２つの別の切替谷折り部及び前記別の山折り部から前記伸長方向の一方の側に離間して、前記交差する方向に延びる第２の谷折り部と、
前記第１の谷折り部の両端をそれぞれ前記別の山折り部の両端に連結して外側に折りたたみ可能に外側から縫い合わされた２つの第３の斜方山折り部と、
前記第２の谷折り部の両端をそれぞれ前記別の山折り部の両端に連結して外側に折りたたみ可能に外側から縫い合わされた２つの第４の斜方山折り部と、
を更に有する、請求項１１に記載の縫製品。
【請求項１３】
縫製品の伸長方向に交差する方向に延びる第１の谷折り部と、
前記第１の谷折り部から前記伸長方向の一方の側に離間して、布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記２つの切替谷折り部及び前記山折り部から前記伸長方向の一方の側に離間して、前記交差する方向に延びる第２の谷折り部と、
前記第１の谷折り部の両端をそれぞれ前記山折り部の両端に連結して外側に折りたたみ可能に外側から縫い合わされた２つの第１の斜方山折り部と、
前記第２の谷折り部の両端をそれぞれ前記山折り部の両端に連結して外側に折りたたみ可能に外側から縫い合わされた２つの第２の斜方山折り部と、
を有する、縫製品。
【請求項１４】
前記端辺と、前記山折り部と、前記２本の第１の斜方山折り部と、が台形を形成し、
前記第１の谷折り部と、前記山折り部と、前記２本の第２の斜方山折り部と、が別の台形を形成する、請求項１０〜１３のいずれか一項に記載の縫製品。
【請求項１５】
縫製品の伸長方向に交差する方向に延びる端辺と、
前記端辺から前記伸長方向の一方の側に離間して、布帛を内側に折りたたみ可能に内側から縫い合わされた第１の谷折り部と、
前記第１の谷折り部から前記伸長方向の一方の側に離間して、布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記端辺の２点をそれぞれ前記第１の谷折り部の両端に連結して外側に折りたたみ可能に外側から縫い合わされた２つの第２の斜方山折り部と、
前記第１の谷折り部の両端をそれぞれ前記山折り部の両端に連結して外側に折りたたみ可能に外側から縫い合わされた２つの第１の斜方山折り部と、
を有する、縫製品。
【請求項１６】
縫製品の伸長方向に交差する方向に布帛を内側に折りたたみ可能に内側から縫い合わされた第１の谷折り部と、
前記第１の谷折り部から前記伸長方向の一方の側に離間して、布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記第１の谷折り部から前記伸長方向の他方の側に離間して、布帛を内側に折りたたみ可能に内側から縫い合わされた他の２つの切替谷折り部及び前記２つの切替谷折り部の間に連結して布帛を外側に折りたたみ可能に外側から縫い合わされた他の山折り部と、
前記第１の谷折り部の両端をそれぞれ前記山折り部の両端に連結して外側に折りたたみ可能に外側から縫い合わされた２つの第１の斜方山折り部と、
前記第１の谷折り部の両端をそれぞれ前記他の山折り部の両端に連結して外側に折りたたみ可能に外側から縫い合わされた２つの第２の斜方山折り部と、
を有する、縫製品。
【請求項１７】
前記第１の谷折り部から前記伸長方向の一方の側に離間する、縫製品の伸長方向に交差する方向に布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記山折り部から前記伸長方向の一方の側に離間して、布帛を内側に折りたたみ可能に内側から縫い合わされた第２の谷折り部と、
前記谷折り部から前記伸長方向の一方の側に離間して、布帛を内側に折りたたみ可能に内側から縫い合わされた他の２つの切替谷折り部及び前記２つの切替谷折り部の間に連結して布帛を外側に折りたたみ可能に外側から縫い合わされた他の山折り部と、
前記第１の谷折り部の両端をそれぞれ前記山折り部の両端に連結して外側に折りたたみ可能に外側から縫い合わされた２つの第１の斜方山折り部と、
前記第１の谷折り部の両端をそれぞれ前記他の山折り部の両端に連結して外側に折りたたみ可能に外側から縫い合わされた２つの第２の斜方山折り部と、
を更に有する、請求項１５又は１６に記載の縫製品。
【請求項１８】
前記第１の谷折り部と、前記山折り部と、２本の第１の斜方山折り部とが、台形を形成し、
前記第１の谷折り部と、前記他の山折り部と、２本の第２の斜方山折り部とが、台形を形成する、
請求項１５〜１７のいずれか一項に記載の縫製品。
【請求項１９】
縫製品の伸長方向に交差する方向に、布帛を内側に折りたたみ可能に内側から縫い合わせて第１の谷折り部を形成する谷折り部形成工程と、
前記第１の谷折り部から前記伸長方向の一方の側に離間して、布帛を外側に折りたたみ可能に外側から縫い合わせて山折り部を形成する山折り部形成工程と
前記山折り部の両端に連結して布帛を内側に折りたたみ可能に内側から縫い合わせて２つの切替谷折り部を形成する切替谷折り部形成工程と、
前記第１の谷折り部の両端をそれぞれ前記山折り部の両端に連結して外側に折りたたみ可能に外側から縫い合わせて２つの第１の斜方山折り部と、前記端辺の両端をそれぞれ前記山折り部の両端に連結して外側に折りたたみ可能に外側から縫い合わせて２つの第２の斜方山折り部と、を形成する斜方山折り部形成工程と、
を含む、製作方法。
【請求項２０】
２枚の台形の布帛を、当該２枚の台形のそれぞれの平行な短辺を外側に折りたたみ可能に内側から縫い合わせて山折り部を形成する山折り部形成工程と、
三角形の布帛を、当該三角形の一頂点と当該頂点に対応する辺の一点と、を内側に折りたたみ可能に内側から縫い合わせ切替谷折り部を形成する切替谷折り部形成工程と、
山折り部形成工程で形成された布帛の前記台形の斜辺と、切替谷折り部形成工程で形成された布帛の前記三角形の一頂点を形成する２辺と、を、外側に折りたたみ可能に外側から縫い合わせて第１及び第２の斜方山折り部を形成する斜方山折り部形成工程と、
前記斜方山折り部形成工程で形成した布帛の前記台形の長辺を、他の布帛に内側から折りたたみ可能に内側から縫い合わせて第１の谷折り部を形成する谷折り部形成工程と、
を含む、製作方法。
【請求項２１】
身頃と襟ぐりを有する布帛からなる縫製品であり、
身頃は前身頃と後身頃を重ねて伸長方向左右の両端で伸長方向に略平行に縫い合わされてなり、
襟ぐりは身頃上端の開口としてなり、
襟ぐりの両端を縫い合わされて設けた肩を有し、
身頃は、縫製品の伸長方向に略平行の山折り部と谷折り部を交互に複数有し、
山折り部に略平行したステッチを有し、
身頃下端の裾は山折り部を頂点として略直角方向に谷折り部を端部とした２つの斜方山折り部を複数有し、
斜方山折り部に略平行したステッチを有し、
２つの斜方山折り部の間であって、頂点とした山折り部から裾に向かって略垂直に設けた切替谷折り部を有する、
縫製品。
【請求項２２】
身頃上端は山折り部を頂点として略直角方向に谷折り部を端部とした２つの斜方山折り部を複数有し、
斜方山折り部に略平行したステッチを有し、
２つの斜方山折り部の間であって、頂点とした山折り部から身頃上端に向かって略垂直に設けた切替谷折り部を有する、
請求項２１に記載の縫製品。
【発明の詳細な説明】
【技術分野】
【０００１】
本発明は、縫製品及びその製作方法に関するものである。なお、縫製品としては、パンツ（ズボン）やカットソー（シャツ）などの衣服及びバッグなどの袋物が知られており、以下、これらを総称して縫製品と称する。
【背景技術】
【０００２】
昨今では、たくさんの衣服を所有することも多くなっているが、住環境によっては、その衣服を余裕をもって収納するスペースを確保することが困難であることも多い。また、近年、自然災害などにより避難者として避難施設で暮らす機会が増えているが、これらの避難施設では、一人一人が専有できるスペースは限られており、衣服を収納する箪笥などを設置することが困難な場合が多く、衣服を整理することができないという問題があった。
【０００３】
一方では、高齢者や歩行困難又は半身不随の身体障碍者は、衣服を畳んだリハンガーに掛けるなど衣服を整理することが容易にできないため、高齢者などの介助者が衣服を畳むなどを行っており、介助者の負担軽減が求められていた。このため、容易にコンパクトに折りたたむことが可能で、折りたたんでも嵩張らない衣服、特に、高齢者などであっても容易に折りたためる衣服が求められていた。
【０００４】
また、衣服を折りたたむと、折りたたみ線が畳みじわとして残り、その衣服の着用時に美感を損なうこととなる。その衣服の美観を損なわないように保存するためには、その衣服を畳むことなくハンガーに掛けることとなり、衣服を収納するスペースを要するという問題があった。
【０００５】
更に、バッグについても、内部に物を収納することなく単に持ち運ぶ場合や、使用しないときに保管する場合には、嵩張ることなくコンパクトに折りたためることが、同様に求められていた。
【０００６】
ここで、下記特許文献１には、コンパクトに折りたたんだパンツ本体を収容可能な収納袋を備えたパンツが開示されている。
【０００７】
下記特許文献２には、袖などに蛇腹状にプリーツ加工を施して伸縮性を持たせ、袖などを伸縮可能とした衣服が開示されており、この衣服であれば、袖などを容易に蛇腹状に折りたたむことは可能である。
【０００８】
下記特許文献３には、袋状のバック本体にブリーツ加工を施して折りたたみ易くした携帯用バックが、開示されており、このバックであれば、折りたたむことは可能である。
【０００９】
更に、下記特許文献４には、いわゆる「立体折り紙」を応用し折りたたみ可能とした衣服が開示されており、折りたたみ線に沿って折りたたむことは可能であり、畳みじわも目立たたないものである。
【先行技術文献】
【特許文献】
【００１０】
【特許文献１】実案第３１９８１６８号公報（パンツ）
【特許文献２】特開第２００６−７７３８２号公報（プリーツ衣料）
【特許文献３】実案第３１４８４９６号公報（携帯用バック）
【特許文献４】特許第４６２５８７８号公報（衣服）
【発明の概要】
【発明が解決しようとする課題】
【００１１】
しかし、特許文献１のパンツを確実に収納袋に収納できるようするには、丁寧にパンツを折りたたむ必要があり、コンパクトに折りたたむことは容易ではない、という問題があった。
【００１２】
また、特許文献２の衣服や特許文献３のバックのようにプリーツ加工を確実に施すには、薬品を用いて加工する必要があるため、プリーツ加工を施すことは容易でなく、また、プリーツ加工が施されていることから折りたたむと布帛が二重となり嵩張るため、折りたたんでもコンパクトに持ち運ぶことや収納保管することができない、という問題があった。
【００１３】
更に、特許文献４の衣服は、折りたたむことを可能とするために折りたたみ線が複雑な幾何学的条件を満たす必要があり、複雑な型紙に基づいて製作することを要し、容易に製作することはできない、また、複雑な折りたたみ線に沿って折りたたむことから、片手で折りたたむことは容易ではない、という問題があった。
【００１４】
本発明の目的は、複雑な幾何学的条件を満たす必要はなく、複雑な型紙に基づかなくとも容易に縫製することができる縫製品であって、煩雑なプリーツ加工を施すことなく、高齢者などであっても、片手でコンパクトに折りたたむことが容易で、折りたたんでも畳みじわが目立たたず、嵩張ることが無い縫製品及びその縫製品を簡便に縫製する製作方法を提供することにある。
【課題を解決するための手段】
【００１５】
前記目的を達成するため請求項１記載の本発明に係る縫製品は、
縫製品の伸長方向に交差する方向に、布帛を内側に折りたたみ可能に内側から縫い合わされた第１の谷折り部と、
前記第１の谷折り部から前記伸長方向の両側に離間して、前記交差する方向に延びる第１及び第２の端辺と、
前記第１の谷折り部の一点を介して前記第１の端辺の一端と前記第２の端辺の一端とを結ぶ、布帛を外側に折りたたみ可能に外側から縫い合わされた第１の山折り部と、
前記第１の谷折り部の前記一点を介して前記第１の端辺の他端と前記第２の端辺の他端とを結ぶ、布帛を外側に折りたたみ可能に外側から縫い合わされた第２の山折り部と、
を有する縫製品である。
【００１６】
請求項１記載の本発明に係る縫製品によれば、例えば、バッグに谷折り部と山折り部とを有すると、谷折り部と山折り部とで片手で容易にコンパクトに折りたたむことができ、折りたたんでも嵩張ることはない。また、折り紙のいわゆる「風船の基本形」を応用した折りたたみ方であり、折りたたみ線が複雑な幾何学的条件を満たす必要がないことから、複雑な型紙に基づくことなく容易に製作することができる。
【００１７】
請求項２記載の本発明に係る縫製品は、
縫製品の伸長方向に交差する方向に、布帛を内側に折りたたみ可能に内側から縫い合わされた第１の谷折り部と、
前記第１の谷折り部から前記伸長方向の一方の側に離間して、前記交差する方向に、布帛を内側に折りたたみ可能に内側から縫い合わされた第２の谷折り部と、
前記第１の谷折り部から前記伸長方向の他方の側に離間して、前記交差する方向に、布帛を内側に折りたたみ可能に内側から縫い合わされた他の第２の谷折り部と、
前記第１の谷折り部の一点を介して前記第２の谷折り部の一端と前記他の第２の谷折り部の一端とを結ぶ、布帛を外側に折りたたみ可能に外側から縫い合わされた第１の山折り部と、
前記第１の谷折り部の前記一点を介して前記第２の谷折り部の他端と前記他の第２の谷折り部の他端とを結ぶ、布帛を外側に折りたたみ可能に外側から縫い合わされた第２の山折り部と、
を有する縫製品である。
【００１８】
請求項２記載の本発明に係る縫製品によれば、例えば、パンツの股下の任意位置に設けた谷折り部と山折り部とを片手で容易にコンパクトに折りたたむことができ、折りたたんでも嵩張ることはない。
【００１９】
請求項３記載の本発明に係る縫製品は、
縫製品の伸長方向に交差する方向に延びる端辺と、
前記端辺から前記伸長方向の一方の側に離間して、前記交差する方向に、布帛を内側に折りたたみ可能に内側から縫い合わされた第１の谷折り部と、
前記第１の谷折り部から前記伸長方向の一方の側に離間して、前記交差する方向に、布帛を内側に折りたたみ可能に内側から縫い合わされた第２の谷折り部と、
前記第１の谷折り部の一点を介して前記第２の谷折り部の一端と前記端辺の一端とを結ぶ、布帛を外側に折りたたみ可能に外側から縫い合わされた第１の山折り部と、
前記第１の谷折り部の前記一点を介して前記第２の谷折り部の他端と前記端辺の他端とを結ぶ、布帛を外側に折りたたみ可能に外側から縫い合わされた第２の山折り部と、
を有する縫製品である。
【００２０】
請求項３記載の本発明に係る縫製品によれば、例えば、パンツの股下に谷折り部と山折り部とを有すると、嵩張るパンツの股下の部分を谷折り部と山折り部とで片手で容易にコンパクトに折りたたむことができ、折りたたんでも嵩張ることはない。また、谷折り部と山折り部で折りたたまれることから、折りたたんだでも畳みじわが生じることもなく、着用時に美的な外観を損なうこともない。
【００２１】
請求項４記載の本発明に係る縫製品は、
前記第２の谷折り部から前記伸長方向の一方の側に離間して、前記交差する方向に、布帛を内側に折りたたみ可能に内側から縫い合わされた第３の谷折り部と、
前記第３の谷折り部から前記伸長方向の一方の側に離間して、前記交差する方向に、布帛を内側に折りたたみ可能に内側から縫い合わされた第４の谷折り部と、
前記第３の谷折り部の一点を介して前記第２の谷折り部の一端と前記第４の谷折り部の一端とを結ぶ、布帛を外側に折りたたみ可能に外側から縫い合わされた第３の山折り部と、
前記第３の谷折り部の前記一点を介して前記第２の谷折り部の他端と前記第４の谷折り部の他端とを結ぶ、布帛を外側に折りたたみ可能に外側から縫い合わされた第４の山折り部と、
を更に有する、縫製品である。
【００２２】
請求項４記載の本発明に係る縫製品によれば、例えば、任意の長さのパンツの股下を片手で折りたたみ可能とすることができ、折りたたんでも嵩張ることはない。
【００２３】
請求項５記載の本発明に係る縫製品の
前記第１の谷折り部の一点は、前記第１の谷折り部の中点であり、
前記端辺又は前記谷折り部と前記第１及び第２の前記山折り部のそれぞれの一部が二等辺三角形を形成し、
前記第２の谷折り部又は他の前記端辺と前記第１及び第２の山折り部のそれぞれの別の一部が二等辺三角形を形成する、請求項１〜４のいずれか一項に記載の縫製品である。
【００２４】
請求項５記載の本発明に係る縫製品によれば、谷折り部と山折り部とで片手でより容易にコンパクトに折りたたむことができ、折りたたんでも嵩張ることはない。
【００２５】
請求項６記載の本発明に係る縫製品の製作方法は、
縫製品の伸長方向に交差する方向に布帛を内側に折りたたみ可能に内側から縫い合わせされた第１の谷折り部と、前記第１の谷折り部から前記伸長方向の両側に離間して、前記交差する方向に延びる第１及び第２の端辺と、を形成する谷折り部形成工程と、
前記第１の谷折り部の前記一点を介して前記端辺の一端と前記第２の端辺の一端とを結ぶ第１の山折り部と、前記第１の谷折り部の前記一点を介して前記第１の端辺の他端と前記第２の端辺の他端とを結ぶ第２の山折り部と、を布帛を外側に折りたたみ可能に外側から縫い合わせて形成する山折り部形成工程と、
を含む製作方法である。
【００２６】
請求項６記載の発明に係る縫製品の製作方法によれば、煩雑なプリーツ加工を施すことなく、容易に片手で折りたたみ可能で、折りたたんでも畳みじわが目立たず、嵩張ることが無い縫製品を縫製することができる。また、発明に係る縫製品の製作方法は、折り紙のいわゆる「風船の基本形」を応用しており、折りたたみ線が複雑な幾何学的条件を満たす必要がないので、複雑な型紙に基づいて製作することを要することなく、縫製することができる。
【００２７】
請求項７記載の本発明に係る縫製品の製作方法は、
縫製品の伸長方向に交差する方向に布帛を内側に折りたたみ可能に内側から縫い合わせて形成する第１及び第２の谷折り部と、前記第１の谷折り部から前記第２の谷折り部と前記伸長方向の反対方向に離間し前記伸長方向に交差する方向に延びる端辺と、を形成する谷折り部形成工程と、
前記第１の谷折り部の前記一点を介して前記第２の谷折り部の一端と前記端辺の一端とを結ぶ第１の山折り部と、前記第１の谷折り部の前記一点を介して前記第２の谷折り部の他端と前記端辺の他端とを結ぶ第２の山折り部と、を布帛を外側に折りたたみ可能に外側から縫い合わせて形成する山折り部形成工程と、
を含む製作方法である。
【００２８】
請求項７記載の本発明に係る製作方法によれば、折りたたみ線が複雑な幾何学的条件を満たす必要はなく、また、折りたたみ線に煩雑なプリーツ加工を施すことなく、より容易に折りたたみ可能で、折りたたんでも嵩張ることが無い片手で折りたたみ可能な縫製品を容易に縫製することができる。
【００２９】
請求項８記載の本発明に係る縫製品の製作方法は、
四角形の布帛の１本の対角線を内側に折りたたみ可能に内側から縫い合わせて谷折り部を形成する谷折り部形成工程と、
前記四角形の布帛の一辺と、他の前記四角形の布帛の一辺とを、それぞれの前記四角形の布帛が有するそれぞれの谷折り部を平行に配置して、外側に折りたたみ可能に外側から縫いあわせ山折り部を形成する山折り部形成工程と、
を含む、製作方法である。
【００３０】
請求項８記載の発明に係る縫製品の製作方法によれば、端切れのような裁ち残りの布帛を用いて、煩雑なプリーツ加工を施すことなく、容易に折りたたみ可能で、折りたたんでも嵩張ることが無い片手で折りたたみ可能な縫製品を縫製することができる。
【００３１】
請求項９記載の本発明に係る縫製品の製作方法は、
２枚の三角形の布帛のそれぞれ三角形の一辺を内側に折りたたみ可能に内側から縫い合わせて谷折り部を形成する谷折り部形成工程と、
当該谷折り部形成工程で形成された四角形の布帛の一辺と、他の当該四角形の布帛の一辺とを、それぞれの当該四角形が有するそれぞれの谷折り部を平行に配置して、外側に折りたたみ可能に外側から縫いあわせ山折り部を形成する山折り部形成工程と、
を含む製作方法である。
【００３２】
請求項９記載の発明に係る縫製品の製作方法によれば、端切れのような裁ち残りの布帛を用いて、煩雑なプリーツ加工を施すことなく、確実に容易に折りたたみ可能で、嵩張ることが無い片手で折りたたみ可能な縫製品を縫製することができる。
【００３３】
請求項１０記載の本発明に係る縫製品は、
縫製品の伸長方向に交差する方向に布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記２つの切替谷折り部及び前記山折り部から前記伸長方向の両側に離間して、前記交差する方向に延びる第１及び第２の端辺と、
前記第２の端辺の両端をそれぞれ前記山折り部の両端に連結して外側に折りたたみ可能に外側から縫い合わされた２つの第１の斜方山折り部と、
前記第１の端辺の両端をそれぞれ前記山折り部の両端に連結して外側に折りたたみ可能に外側から縫い合わされた２つの第２の斜方山折り部と、
を有する縫製品である。
【００３４】
請求項１０記載の本発明に係る縫製品、例えば、バッグによれば、片手で容易にコンパクトに折りたたむことができ、折りたたんでも高張ることはない。また、折り紙のいわゆる「二艘舟」を応用した折りたたみ方であり、折りたたみ線が複雑な幾何学的条件を満たす必要がないことから、複雑な型紙に基づいて製作する必要がなく、容易に製作することができる。
【００３５】
請求項１１記載の本発明に係る縫製品は、
縫製品の伸長方向に交差する方向に延びる端辺と、
前記端辺から前記伸長方向の一方の側に離間して、布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記２つの切替谷折り部及び前記山折り部から前記伸長方向の一方の側に離間して、前記交差する方向に延びる第１の谷折り部と、
前記端辺の両端をそれぞれ前記山折り部の両端に連結して外側に折りたたみ可能に外側から縫い合わされた２つの第１の斜方山折り部と、
前記第１の谷折り部の両端をそれぞれ前記山折り部の両端に連結して外側に折りたたみ可能に外側から縫い合わされた２つの第２の斜方山折り部と、
を有する、縫製品である。
【００３６】
請求項１１記載の本発明に係る縫製品、例えばカットソーによれば、確実に片手でコンパクトに折りたたむことができ、折りたたんでも嵩張ることはない。また、谷折り部、切替谷折り部及び山折り部で折りたたまれることから、折りたたんだでも畳みじわが生じることもなく、着用時に美的な外観を損なうこともない。
【００３７】
請求項１２記載の本発明に係る縫製品は、
前記第１の谷折り部から前記伸長方向の一方の側に離間して、布帛を内側に折りたたみ可能に内側から縫い合わされた２つの別の切替谷折り部及び前記２つの別の切替谷折り部の間に連結して布帛を外側に折りたたみ可能に外側から縫い合わされた別の山折り部と、
前記２つの別の切替谷折り部及び前記別の山折り部から前記伸長方向の一方の側に離間して、前記交差する方向に延びる第２の谷折り部と、
前記第１の谷折り部の両端をそれぞれ前記別の山折り部の両端に連結して外側に折りたたみ可能に外側から縫い合わされた２つの第３の斜方山折り部と、
前記第２の谷折り部の両端をそれぞれ前記別の山折り部の両端に連結して外側に折りたたみ可能に外側から縫い合わされた２つの第４の斜方山折り部と、
を更に有する、縫製品である。
【００３８】
請求項１２記載の本発明に係る縫製品、例えば、カットソーによれば、任意の長さを容易に片手で折りたたみ可能とすることができ、折りたたんでも嵩張ることはない。
【００３９】
請求項１３記載の本発明に係る縫製品は、
縫製品の伸長方向に交差する方向に延びる第１の谷折り部と、
前記第１の谷折り部から前記伸長方向の一方の側に離間して、布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記２つの切替谷折り部及び前記山折り部から前記伸長方向の一方の側に離間して、前記交差する方向に延びる第２の谷折り部と、
前記第１の谷折り部の両端をそれぞれ前記山折り部の両端に連結して外側に折りたたみ可能に外側から縫い合わされた２つの第１の斜方山折り部と、
前記第２の谷折り部の両端をそれぞれ前記山折り部の両端に連結して外側に折りたたみ可能に外側から縫い合わされた２つの第２の斜方山折り部と、
を有する、縫製品である。
【００４０】
請求項１３記載の本発明に係る縫製品、例えばカットソーによれば、任意の位置を容易に片手でコンパクトに折りたたむことができ、折りたたんでも嵩張ることはない。
【００４１】
請求項１４記載の本発明に係る縫製品は、
前記端辺と、前記山折り部と、前記２本の第１の斜方山折り部と、が台形を形成し、
前記第１の谷折り部と、前記山折り部と、前記２本の第２の斜方山折り部と、が別の台形を形成する、縫製品である。
【００４２】
請求項１４記載の本発明に係る縫製品によれば、確実に片手でコンパクトに折りたたむことができ、折りたたんでも高張ることはない。
【００４３】
請求項１５記載の本発明に係る縫製品は、
縫製品の伸長方向に交差する方向に延びる端辺と、
前記端辺から前記伸長方向の一方の側に離間して、布帛を内側に折りたたみ可能に内側から縫い合わされた第１の谷折り部と、
前記第１の谷折り部から前記伸長方向の一方の側に離間して、布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記端辺の２点をそれぞれ前記第１の谷折り部の両端に連結して外側に折りたたみ可能に外側から縫い合わされた２つの第２の斜方山折り部と、
前記第１の谷折り部の両端をそれぞれ前記山折り部の両端に連結して外側に折りたたみ可能に外側から縫い合わされた２つの第１の斜方山折り部と、
を有する、縫製品である。
【００４４】
請求項１５記載の本発明に係る縫製品、例えばカットソーによれば、容易に片手でコンパクトに折りたたむことができ、折りたたんでも嵩張ることはない。
【００４５】
請求項１６記載の本発明に係る縫製品は、
縫製品の伸長方向に交差する方向に布帛を内側に折りたたみ可能に内側から縫い合わされた第１の谷折り部と、
前記第１の谷折り部から前記伸長方向の一方の側に離間して、布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記第１の谷折り部から前記伸長方向の他方の側に離間して、布帛を内側に折りたたみ可能に内側から縫い合わされた他の２つの切替谷折り部及び前記２つの切替谷折り部の間に連結して布帛を外側に折りたたみ可能に外側から縫い合わされた他の山折り部と、
前記第１の谷折り部の両端をそれぞれ前記山折り部の両端に連結して外側に折りたたみ可能に外側から縫い合わされた２つの第１の斜方山折り部と、
前記第１の谷折り部の両端をそれぞれ前記他の山折り部の両端に連結して外側に折りたたみ可能に外側から縫い合わされた２つの第２の斜方山折り部と、
を有する、縫製品である。
【００４６】
請求項１６記載の本発明に係る縫製品、例えばカットソーによれば、任意の位置をコンパクトに片手で折りたたみ可能とすることができ、折りたたんでも嵩張ることはない。
【００４７】
請求項１７記載の本発明に係る縫製品は、
前記第１の谷折り部から前記伸長方向の一方の側に離間する、縫製品の伸長方向に交差する方向に布帛を内側に折りたたみ可能に内側から縫い合わされた２つの切替谷折り部及び前記２つの切替谷折り部の間に連結して布帛を外側に折りたたみ可能に外側から縫い合わされた山折り部と、
前記山折り部から前記伸長方向の一方の側に離間して、布帛を内側に折りたたみ可能に内側から縫い合わされた第２の谷折り部と、
前記谷折り部から前記伸長方向の一方の側に離間して、布帛を内側に折りたたみ可能に内側から縫い合わされた他の２つの切替谷折り部及び前記２つの切替谷折り部の間に連結して布帛を外側に折りたたみ可能に外側から縫い合わされた他の山折り部と、
前記第１の谷折り部の両端をそれぞれ前記山折り部の両端に連結して外側に折りたたみ可能に外側から縫い合わされた２つの第１の斜方山折り部と、
前記第１の谷折り部の両端をそれぞれ前記他の山折り部の両端に連結して外側に折りたたみ可能に外側から縫い合わされた２つの第２の斜方山折り部と、
を更に有する、請求項１５又は１６に記載の縫製品である。
【００４８】
請求項１７記載の本発明に係る縫製品、例えばカットソーによれば、任意の位置で片手で折りたたみが可能とすることができ、折りたたんでも高張ることはない。
【００４９】
請求項１８記載の本発明に係る縫製品は、
前記第１の谷折り部と、前記山折り部と、２本の第１の斜方山折り部とが、台形を形成し、
前記第１の谷折り部と、前記他の山折り部と、２本の第２の斜方山折り部とが、台形を形成する、縫製品である。
【００５０】
請求項１８記載の本発明に係る縫製品によれば、確実に片手でコンパクトに折りたたむことができ、折りたたんでも嵩張ることはない。
【００５１】
請求項１９記載の本製品に係る縫製品の製作方法は、
縫製品の伸長方向に交差する方向に、布帛を内側に折りたたみ可能に内側から縫い合わせて第１の谷折り部を形成する谷折り部形成工程と、
前記第１の谷折り部から前記伸長方向の一方の側に離間して、布帛を外側に折りたたみ可能に外側から縫い合わせて山折り部を形成する山折り部形成工程と
前記山折り部の両端に連結して布帛を内側に折りたたみ可能に内側から縫い合わせて２つの切替谷折り部を形成する切替谷折り部形成工程と、
前記第１の谷折り部の両端をそれぞれ前記山折り部の両端に連結して外側に折りたたみ可能に外側から縫い合わせて２つの第１の斜方山折り部と、前記端辺の両端をそれぞれ前記山折り部の両端に連結して外側に折りたたみ可能に外側から縫い合わせて２つの第２の斜方山折り部と、を形成する斜方山折り部形成工程と、
を含む、製作方法である。
【００５２】
請求項１９記載の本発明に係る製作方法によれば、煩雑なプリーツ加工を施す工程を要すことなく、片手で折りたたみ可能で、折りたたんでも畳みじわが目立たたず、嵩張ることが無い縫製品を縫製することができる。また、発明に係る縫製品の製作方法は、折り紙のいわゆる「二艘舟」を応用しており、折りたたみ線が複雑な幾何学的条件を満たす必要がないので、複雑な型紙に基づいて製作することを要することなく、縫製することができる。
【００５３】
請求項２０記載の本発明に係る縫製品の製作方法は、
２枚の台形の布帛を、当該２枚の台形のそれぞれの平行な短辺を外側に折りたたみ可能に内側から縫い合わせて山折り部を形成する山折り部形成工程と、
三角形の布帛を、当該三角形の一頂点と当該頂点に対応する辺の一点と、を内側に折りたたみ可能に内側から縫い合わせ切替谷折り部を形成する切替谷折り部形成工程と、
山折り部形成工程で形成された布帛の前記台形の斜辺と、切替谷折り部形成工程で形成された布帛の前記三角形の一頂点を形成する２辺と、を、外側に折りたたみ可能に外側から縫い合わせて第１及び第２の斜方山折り部を形成する斜方山折り部形成工程と、
前記斜方山折り部形成工程で形成した布帛の前記台形の長辺を、他の布帛に内側から折りたたみ可能に内側から縫い合わせて第１の谷折り部を形成する谷折り部形成工程と、
を含む、製作方法である。
【００５４】
請求項２０記載の本発明に係る製作方法によれば、端切れのような裁ち残りの布帛を用いて、煩雑なプリーツ加工を施す工程を要すことなく、確実に折りたたみ可能で、折りたたんでも畳みじわが目立たたず、嵩張ることが無い片手で折りたたみ可能な縫製品を縫製することができる。
【００５５】
請求項２１記載の本発明に係る縫製品は、
身頃と襟ぐりを有する布帛からなる縫製品であり、
身頃は前身頃と後身頃を重ねて伸長方向左右の両端で伸長方向に略平行に縫い合わされてなり、
襟ぐりは身頃上端の開口としてなり、
襟ぐりの両端を縫い合わされて設けた肩を有し、
身頃は、縫製品の伸長方向に略平行の山折り部と谷折り部を交互に複数有し、
山折り部に略平行したステッチを有し、
身頃下端の裾は山折り部を頂点として略直角方向に谷折り部を端部とした２つの斜方山折り部を複数有し、
斜方山折り部に略平行したステッチを有し、
２つの斜方山折り部の間であって、頂点とした山折り部から裾に向かって略垂直に設けた切替谷折り部を有する、縫製品である。
【００５６】
請求項２１記載の本発明に係る縫製品によれば、身頃に縫製品の伸長方向に略平行の複数の山折り谷折りが交互に施されて山折り部と谷折り部が設けられ、山折り部には山折りに略平行にステッチが施されていることにより、縫製品である例えばカットソーを折りたたむ際に山折り部のステッチで折りたたまれることにより谷折り部も同時にできて確実に片手でコンパクトに折りたたむことができ、折りたたんでも嵩張ることはない。また、谷折り部、切替谷折り部及び山折り部で折りたたまれることから、折りたたんだでも畳みじわが生じることもなく、着用時に美的な外観を損なうこともない。
【００５７】
また、裾に斜方山折り部と切替谷折り部を設け、あわせて斜方山折り部に略平行したステッチを設けることにより、折りたたみ容易な機能を有する装飾を、縫製品に付加することができる。
【００５８】
請求項２２記載の本発明に係る縫製品は、
身頃上端は山折り部を頂点として略直角方向に谷折り部を端部とした２つの斜方山折り部を複数有し、
斜方山折り部に略平行したステッチを有し、
２つの斜方山折り部の間であって、頂点とした山折り部から身頃上端に向かって略垂直に設けた切替谷折り部を有する、縫製品である。
【００５９】
請求項２２記載の本発明に係る縫製品によれば、身頃に縫製品の伸長方向に略平行の複数の山折り谷折りが交互に施されて山折り部と谷折り部が設けられ、山折り部には山折りに略平行にステッチが施されていることにより、縫製品である例えばカットソーを折りたたむ際に山折り部のステッチで折りたたまれることにより谷折り部も同時にできて確実に片手でコンパクトに折りたたむことができ、折りたたんでも嵩張ることはない。また、谷折り部、切替谷折り部及び山折り部で折りたたまれることから、折りたたんだでも畳みじわが生じることもなく、着用時に美的な外観を損なうこともない。
【００６０】
裾に加えて身頃上端にも斜方山折り部と切替谷折り部を設け、あわせて斜方山折り部に略平行したステッチを設けることにより、裾と身頃上端に折りたたみ容易な機能を有する装飾を、縫製品に付加することができる。
【発明の効果】
【００６１】
本発明によれば、煩雑なプリーツ加工を施すことなく、片手で容易にコンパクトに折りたたむことができ、折りたたんでも畳みじわが目立たたず、嵩張ることが無く、また、複雑な幾何学模様の型紙を用いることなく縫製可能な縫製品、及びその縫製品を簡便に縫製する製作方法を提供することができる。
【図面の簡単な説明】
【００６２】
【図１】折り紙の折り方のいわゆる「風船の基本」の折り方を示す図である。
【図２】折り紙の折り方のいわゆる「二艘舟」の折り方を示す図である。
【図３】本発明の第１の実施形態に係る折りたたみ可能なパンツを示す模式図である。
【図４】本発明の第１の実施形態に係る折りたたみ可能なパンツの製作方法のフローチャートである。
【図５】本発明の第１の実施形態に係る折りたたみ可能なパンツの折りたたんだ状態を示す模式図である。
【図６】本発明の第１の実施形態の第１の変形形態に係る折りたたみ可能なパンツを示す模式図である。
【図７】本発明の第１の実施形態の第２の変形形態に係る折りたたみ可能なバッグを示す模式図である。
【図８】本発明の第２の実施形態に係る折りたたみ可能なカットソーを示す模式図である。
【図９】本発明の第２の実施形態の第１の変形形態に係る折りたたみ可能なカットソーを示す模式図である。
【図１０】本発明の第２の実施形態に係るコンパクトに折りたたみ可能なカットソーの製作方法のフローチャートである
【図１１】本発明の第２の実施形態に係るコンパクトに折りたたみ可能なカットソーの製作方法の変形例に係るフローチャートである。
【図１２】本発明の第２の実施形態に係る折りたたみ可能なカットソーの折りたたんだ状態を示す模式図である。
【図１３】本発明の第２の実施形態の第２の変形形態に係る折りたたみ可能なカットソーを示す模式図である。
【図１４】本発明の第２の実施形態の第３の変形形態に係る折りたたみ可能なカットソーを示す模式図である。
【図１５】本発明の第２の実施形態の第４の変形形態に係る折りたたみ可能なバッグを示す模式図である。
【図１６】本発明の第３の実施形態の折りたたみ可能なカットソーを示す正面図である。
【図１７】本発明の第３の実施形態の第１の変形形態の折りたたみ可能なカットソーを示す正面図である。
【図１８】本発明の第３の実施形態の第１の変形形態の折りたたみ可能なカットソーの身頃の布帛の折りたたみ方を示す説明図である。
【図１９】本発明の第３の実施形態の第１の変形形態の折りたたみ可能なカットソーの前身頃と後身頃の折りたたんだ布帛を組み合わせる方法を示す説明図である。
【図２０】本発明の第３の実施形態の第１の変形形態の折りたたみ可能なカットソーの前身頃と後身頃と袖の布帛を組み合わせた完成状態を示す斜視図である。
【図２１】本発明の第３の実施形態の第１の変形形態の折りたたみ可能なカットソーの複数枚の前身頃と複数枚の後身頃の折りたたんだ布帛を組み合わせる方法を示す説明図である。
【図２２】本発明の第３の実施形態の第１の変形形態の折りたたみ可能なカットソーの複数枚の前身頃と複数枚の後身頃と袖の布帛を組み合わせる方法を示す説明図である。
【図２３】本発明の第３の実施形態の第１の変形形態に係る折りたたみ可能なカットソーの布帛の折りたたみ幅を狭めて折りたたんだ状態を示す正面図である。
【図２４】本発明の第３の実施形態の折りたたみ可能なカットソーの第１の折りたたみ方法を示す説明図である。
【図２５】本発明の第３の実施形態の折りたたみ可能なカットソーの第２の折りたたみ方法を示す説明図である。
【発明を実施するための形態】
【００６３】
本発明の縫製品は、折り紙の折り方を応用して、片手で容易に折りたたむことを可能としたものであり、本発明の第１の実施形態は、折り紙の折り方のいわゆる「風船の基本形」を、第２の実施形態は折り紙の折り方のいわゆる「二艘舟」を応用したものである。それぞれの実施形態の理解を容易にするため、先ず、折り紙の折り方について説明を行った上で、それぞれの実施形態について説明する。
【００６４】
〔風船の基本形の折り方〕
図１は、折り紙の折り方のいわゆる「風船の基本形」の手順を示した図であり、正方形の紙を（１）〜（６）の順に折る。なお、図中に示した破線は、折り目を示し、矢印は、折る方向を示す。先ず、（１）のステップで四角形の紙を縦に折り、（２）のステップで横に更に半分に折る。次に、（３）のステップで、上側の二枚の紙の間に指を差し込んで左に広げ、（４）の状態とする。そして、裏返した上で、（５）のステップで、上側の二枚の紙の間に指を差し込んで右に広げ、いわゅる「風船の基本形」の完成形（６）とする。
【００６５】
〔二艘舟の折り方〕
また、図２は、折り紙の折り方のいわゆる「二艘舟」の手順を示した図であり、正方形の紙を（１）〜（５）の順に折る。先ず、四角形の紙（ステップ１）を、四角形の紙の両端を中心線で合わせるように折り長方形とし（ステップ２）、更にステップ（３）で長方形の短辺を中心線で合わせるよう折り正方形とする。次に、いったん開いて長方形とし、ステップ（４）に示した破線にそって四つの角を三角形に開きながら折り込む。（５）のステップは、右側を三角形に開きつつある状態を示している。そして、左側も同様に三角形に開き、いわゆる「二艘舟」の完成形（ステップ６）とする。
【００６６】
次に、本発明に係る第１の実施形態について説明する。
【００６７】
〔第１の実施形態〕
図３に、第１の実施形態に係る折りたたみ可能なパンツ１（以下、単に「パンツ」とも言う。）を示す。図３（Ａ）はパンツ１の正面図、（Ｂ）は右側面図、（Ｃ）は背面図、（Ｄ）は平面図、（Ｅ）は底面図であり、（Ｆ）は着用した状態を示す参考模式右側面図である。なお、左側面図は、右側面図と対称に現れるので、省略している。パンツ１は、下腹部を収納する腹部３１と腹部３１の下方に連結され脚を収納する折りたたみ可能部３２からなる。折りたたみ可能部３２には、いわゆる「風船の基本形」を応用した縫製加工が施されており、片手でも容易に折りたたむことができる。なお、パンツ１の素材は、布帛であるが、折りたたみと縫製加工に適していれば良く、天然繊維や合成繊維の布地に限られず、例えば、天然又は合成の皮革、樹脂製のシートであっても良い。
【００６８】
折りたたみ可能部３２は、折りたたみ可能部３２の伸長方向（股下の上下方向）に交差する方向に延びる端辺１５と、前記端辺１５から前記伸長方向の一方の側に離間して、伸長方向に交差する方向に内側（肌に接する側）に折りたたみ可能に内側から布帛がステッチ縫いで縫い合わされた第１の谷折り部１ｌａ（以下、第１、第２等の谷折り部を総称する場合には、単に「谷折り部１１」という。）と、第１の谷折り部１ｌａから折りたたみ可能部３２の伸長方向の一方の側に離間して、交差する方向に布帛を内側に折りたたみ可能に内側から縫い合わされた第２の谷折り部１ｌｂと、第１の谷折り部１ｌａの中点を介して第２の谷折り部１ｌｂの一端と端辺１５の一端を結ぶ、布帛を外側に折りたたみ可能に外側からステッチ縫いされた第１の山折り部１２と、第１の谷折り部１ｌａの中点を介して第２の谷折り部１ｌｂの他端と端辺１５の他端を結ぶ、布帛を外側に折りたたみ可能に外側からステッチ縫いされた第２の山折り部１２と、を有する。また、第２の谷折り部１１ｂから伸長方向の一方の側に離間して、交差する方向に布帛を内側に折りたたみ可能に内側から縫い合わされた第３の谷折り部１ｌｃと、第３の谷折り部１ｌｃから伸長方向の一方の側に離間して、交差する方向に、布帛を内側に折りたたみ可能に内側から縫い合わされた第４の谷折り部１ｌｄと、第３の谷折り部１ｌｃの一点を介して第２の谷折り部１１ｂの一端と第４の谷折り部１１ｄの一端とを結ぶ、布帛を外側に折りたたみ可能に外側から縫い合わされた第３の山折り部１２と、第３の谷折り部１ｌｃの一点を介して第２の谷折り部１ｌｂの他端と第４の谷折り部１ｌｄの他端とを結ぶ、布帛を外側に折りたたみ可能に外側から縫い合わされた第４の山折り部１２と、を更に有する。なお、折りたたみ可能部３２の全周囲に谷折り部１１及び山折り部１２を有する。
【００６９】
また、第３並びに第４の谷折り部１ｌｃ、１ｌｄ、及び第３並びに４の山折り部１２を繰り返す数は、パンツ１の股下の所望の長さに応じて、適宜定めれば良い。またパンツ１の裾は、パンツ１の股下の所望の長さに応じて、末端の端辺１５ではなく、例えば、股下の伸長方向の、谷折り部１１と山折り部１２の中間の位置、又は、山折り部１２と端辺１５との中間の位置であっても良い。
【００７０】
一方、端辺１５と第１及び第２の山折り部１２のそれぞれの一部とは、第１及び第２の山折り部１２のそれぞれの長さが等しい二等辺三角形を形成し、また、第２の谷折り部１ｌｂと第１及び第２の山折り部１２のそれぞれの一部とは、第１及び第２の山折り部１２のそれぞれの長さが等しい直角二等辺三角形を形成している。但し、端辺１５と第１及び第２の山折り部１２のそれぞれの一部が形成する三角形及び第２の谷折り部１ｌｂと第１及び第２の山折り部１２のそれぞれの一部が形成する三角形は、容易に折りたたむことが可能であれば、直角二等辺三角形であっても、単なる三角形でも良い。
【００７１】
次に、第１の実施形態に係るコンパクトの折りたたみ可能なパンツ１の製作方法の一例について説明する。
【００７２】
図４は、第１の実施形態に係るパンツ１の製作方法のフローチャートである。先ず、準備工程１０１において、パンツ１の着用者に合わせて、パンツ１の股下の長さと太さに対応した長さと幅を有する、折りたたみ可能部３２を形成する布帛を用意する。なお、布帛の幅は、２枚で股下の大さに対応する幅とし、それぞれ布帛が股下の前身頃と後身頃を構成する。次に、谷折り部形成工程１０２において、布帛の伸長方向交差する方向に所定の間隔で布帛を内側（肌が接する側）に折りたたみ、折り目に沿って内側からステッチ縫いを行い、第１及び第２の谷折り部１ｌａ、１ｌｂ及び第１の端辺１５ａを形成する。なお、谷折り部１１の数は、パンツ１の股下の長さに応じて適宜定めれば良い。そして、山折り部形成工程１０３において、第１の谷折り部１ｌａの一点を介して第２の谷折り部１ｌｂの一端と第１の端辺１５ａの一端とを結ぶ第１の山折り部１２と、第１の谷折り部１ｌａの一点を介して第２の谷折り部１ｌｂの他端と第１の端辺１５ａの他端とを結ぶ第２の山折り部１２と、を布帛を外側に折りたたみ可能に外側から縫い合わせて形成する。なお、折りたたみ可能部３２の長さに応じて、谷折り部１１及び対応する山折り部１２の数を設ければ良い。
【００７３】
次に、折りたたみ可能部形成工程１０４において、谷折り部１１及び山折り部１２を形成した２枚の布帛（前身頃と後身頃）の長辺を縫い合わせ、筒状に折りたたみ可能部３２とし、仕上げ工程１０５において、別途縫製した腹部３１の下端に折りたたみ可能部３２の一端を縫いあわせ、パンツ１とする。なお、本実施例では、２枚の布帛を縫いあわせ、１本の折りたたみ可能部３２としたが、谷折り部１１及び山折り部１２を形成した１枚の布帛の両長辺を縫い合わせて折りたたみ可能部３２としても良い。また、腹部３１と股下を連続した１枚の布帛とし、任意の部分を折りたたみ可能部３２にとして製作しても良い。
【００７４】
一方、準備工程１０１において、四角形の布帛を所定枚数準備し、谷折り部形成工程１０２において、四角形の布帛を一辺に平行に布帛を内側（肌に接する側）から二つ折りし、折り目に沿って内側からステッチ縫いを行い、第１の谷折り部１ｌａとし、山折り部形成工程１０３において、四角形の対角線を外側に折りたたみ、折り目に沿って外側から縫い、山折り部１２を形成する。次に、折りたたみ可能部形成工程１０４において、２枚の四角形の布帛に形成したそれぞれの第１の谷折り部１ｌａが平行になるように２枚の四角形の辺を内側に折り合わせて内側から縫い合わせて第２の谷折り部１１ｂを形成するとともに一方の第１の谷折り部１ｌａを第３の谷折り部１ｌｃとし、四角形の布帛を連続して縫い合わせていくことにより所定の長さの折りたたみ可能部３２としても良い。
【００７５】
次に、第１の実施形態に係るパンツ１の製作方法の変形例について、説明する。
【００７６】
先ず、準備工程１０１において、パンツ１の着用者に合わせて、パンツ１の股下の長さ太さに応じた大きさを有する四角形の布帛を所定枚数用意する。次に、谷折り部形成工程１０２において、四角形の布帛の１本の対角線を内側（脚が接する側）に折りたたみ、折り目に沿って内側からステッチ縫いを行い、谷折り部１１を形成する。そして、山折り部形成工程１０３において、谷折り部形成工程１０２で谷折り部１１を形成した四角形の布帛の谷折り部１１が股下の伸長方向に交差する方向に配置し、四角形の布帛の一辺と他の四角形の一辺とを外側からステッチ縫いし、山折り部１２を形成する。折りたたみ可能部形成工程１０４において、谷折り部１１を形成した四角形の布帛を筒状に縫い合わせ、折りたたみ可能部３２を形成する。そして、仕上げ工程１０５において、別途縫製した腹部３１の下端に折りたたみ可能部３２を縫い付け、パンツ１とする。
【００７７】
また、準備工程１０１で三角形の布帛を所定の枚数準備の上、谷折り部形成工程１０２で２枚の三角形の布帛の一辺を縫い合わせ谷折り部１１を形成し、次に、山折り部形成工程１０３で、三角形の他の二辺を山折り部１２として隣接する三角形の布帛と縫いあわせていくことにより、折りたたみ可能部３２を形成しても良い。あるいは、２枚の三角形の布帛の一辺を縫い合わせ谷折り部１１を有する四角形とし、その上で、山折り部形成工程１０３以降の工程で、パンツ１を縫製しても良い。また、谷折り部１１及び山折り部１２を形成できれば、本実施例及び変形例の製作方法に限定される必要はなく、例えば、各工程の順番を入れ替えても、工程を省略しても良い。
【００７８】
なお、谷折り部１１及び山折り部１２の縫い方は、確実に縫い合わすことができればよく、ステッチ縫いに限られず、他の縫い方であっても良い。また、谷折り部１１及び山折り部１２の形成は、その形態が保持されれば良く、縫製に限られず、例えば、接着剤による貼付、金具などによる留めつけ、その他の方法であっても良い。
【００７９】
次に、パンツ１の折りたたみ方について、説明する。
【００８０】
図５は、第１の実施形態に係る折りたたみ可能なパンツ１の折りたたんだ状態を示す模式図であり、（Ａ）は折りたたみ可能部３２が折りたたんでいく過程を、（Ｂ）は完全に折りたたまれた状態を示す。パンツ１を折りたたむには、先ず、パンツ１を平らに置き、裾を手で持ち、腹部３１に向かって持ち上げる。それに伴い、折りたたみ可能部３２の第１及び第２の谷折り部１ｌａ、１１ｂは内側に折れ、山折り部１２は外側１に折れ、裾を腹部３１に向かって下ろすと、折りたたみ可能部３２は蛇腹状に折りたたまれる。
【００８１】
〔第１の実施形態の第１の変形形態〕
次に、第１の実施形態の第１の変形形態に係るパンツ１について説明する。図６は、第１の実施形態の第１の変形形態に係るパンツ１の模式図である。なお、第１の実施形態と第１の実施形態の第１の変形形態との異なる部分のみについて説明することとし、第１の実施形態と同様な点については、説明を省略する。
【００８２】
第１の実施形態の第１の変形形態に係るパンツ１の折りたたみ可能部３２は、折りたたみ可能部３２の伸長方向（股下の上下方向）に交差する方向に内側（肌に接する側）に折りたたみ可能に内側から布帛がステッチ縫いで縫い合わされた第１の谷折り部１ｌａと、第１の谷折り部１ｌａから折りたたみ可能部３２の伸長方向の一方の側に離間して、交差する方向に布帛を内側に折りたたみ可能に内側から縫い合わされた第２の谷折り部１ｌｂと、第２の谷折り部１ｌｂから折りたたみ可能部３２の伸長方向の一方の側に離間して、交差する方向に布帛を内側に折りたたみ可能に内側から縫い合わされた第３の谷折り部１ｌｃと、第２の谷折り部１ｌｂの中点を介して第１の谷折り部１ｌａの一端と第３の谷折り部１ｌｃの一端を結ぶ、布帛を外側に折りたたみ可能に外側からステッチ縫いされた第１の山折り部１２と、第２の谷折り部１ｌｂの中点を介して第１の谷折り部１ｌａの他端と第３の谷折り部１ｌｃの他端を結ぶ、布帛を外側に折りたたみ可能に外側からステッチ縫いされた第２の山折り部１２と、を有する。
【００８３】
第１の実施形態の第１の変形形態に係るパンツ１は、股下の任意の部分のみを折りたたみ可能としたものであり、股下全体を折りたたむ必要がない場合に好適である。なお、必要とする折りたたみ可能部３２の長さに応じて、第１の谷折り部１１ａ、第２の谷折り部１１ｂ及び第３の谷折り部１１ｃを繰り返す数は、任意に定めれば良い。
【００８４】
〔第１の実施形態の第２の変形形態〕
次に、第１の実施形態第２の変形形態に係る袋物であるコンパクトに折りたたみ可能なバッグ２（以下、単に「バッグ」ともいう。）について、説明する。
【００８５】
図７に、第１の実施形態の第２の変形形態に係る折りたたみ可能なバッグ２を示す。図７の（Ａ）は正面図、（Ｂ）は右側面図、（Ｃ）は平面図、（Ｄ）は底面図であり、（Ｅ）はバッグ２をコンパクトに折りたたんでいく状態を示す。また、背面図は正面図と、左側面図は右側面図と同一に現れるため、省略する。なお、図中の一点鎖線は、縫い目を示す（以下、同じ）。また、第１の実施形態及び第１の変形形態と本変形形態との異なる部分のみについて説明することとし、第１の実施形態及び第１の変形形態と同様な点については、説明を省略する。
【００８６】
バッグ２は、バッグ本体５１と持ち手５２からなり、バッグ本体５１の上部には、バッグ２を手で保持するための持ち手５２が取り付けられている。バッグ本体５１は、布帛からなり、折りたたみ可能部３２を形成し、いわゆる「風船の基本形」を応用した縫製加工が施され、片手でも容易に折りたたむことができる。
【００８７】
バッグ本体５１は、バッグ本体５１の伸長（上下）方向に交差する方向に内側に折りたたみ可能に内側からステッチ縫いで縫い合わされた第１の谷折り部１ｌａと、第１の谷折り部１ｌａから伸長方向の両側に離間して、交差する方向に延びる第１及び第２の端辺１５ａ、１５ｂと、第１の谷折り部１ｌａの一点を介して第１の端辺１５ａの一端と第２の端辺１５ｂの一端とを結ぶ、布帛を外側に折りたたみ可能に外側から縫い合わされた第１の山折り部１２と、第１の谷折り部１ｌａの一点を介して第１の端辺１５ａの他端と第２の端辺１５ｂの他端とを結ぶ、布帛を外側に折りたたみ可能に外側から縫い合わされた第２の山折り部１２と、を有する。一方、第１又は第２の端辺１５ａ、１５ｂと、第１又は第２の端辺１５ａ、１５ｂの両端から延びる２本の山折り部１２は、２本の山折り部１２の長さが等しい二等辺三角形を形成している。バッグ本体５１の底面は、底面中央部の縫い目５４で縫い合わされて閉じられて底５３を形成し、一方、上端は開口しており、バッグ本体５１の中に物を収納することができる。なお、底面の縫い目５４の位置は、縫い合わされて底５３を形成すれば良く、底面の中央部に限られず、任意の位置で良い。
【００８８】
なお、本変形形態では、折りたたみが１段の例を示したが、バッグ本体５１の伸長方向に多段に折りたたむ場合には、第１の実施形態と同様に、第１の端辺１５ａが第２の谷折り部１ｌｂとすれば良い。
【００８９】
次に、第１の実施形態の変形例に係る製作方法について、説明する。なお、第１の実施形態と第１の実施形態の変形例に係る製作方法の異なる点についてのみ説明することとし、第１の実施形態の製作方法と同様な点については説明を省略する。
【００９０】
先ず、準備工程１０１において、バッグ本体５１の所定の大きさに応じた布帛を準備する。次に、谷折り部形成工程１０２において、布帛の伸長する方向に交差する方向に布帛を内側に折りたたみ可能に内側から縫い合わせた第１の谷折り部１ｌａと、縫製品の伸長方向の両端に伸長方向に交差する方向に第１及び第２の端辺１５ａ、１５ｂを形成する。そして、山折り部形成工程１０３において、第１の谷折り部１ｌａの一点を介して第１の端辺１５ａの一端と第２の端辺１５ｂの一端とを結ぶ第１の山折り部１２と、第１の谷折り部１ｌａの一点を介して第１の端辺１５ａの他端と第２の端辺１５ｂの他端とを結ぶ第２の山折り部１２と、を布帛を外側に折りたたみ可能に外側から縫い合わせて形成する。最後に、仕上げ工程１０５で、バッグ本体５１の底部を縫いあわせ底５３とし、バッグ本体５１の上部に持ち手５２を取り付け、バッグ２を完成する。
【００９１】
第１の実施形態では、パンツ１の股下とバッグ２のバッグ本体５１を折りたたみ可能部３２の例として示したが、これらに限られず、例えば、カットソー３の前身頃、後身頃若しくは袖、シャツ、ブラウス、若しくは、コート、又はジャケットなどの衣服にも適用可能である。なお、布帛に張りがなく容易に形状が崩れてしまう場合には、厚手の布帛を選択するか、別布（裏地）等により布帛を補強すると良い。
【００９２】
次に、本発明に係る第２の実施形態について説明する。なお、第１の実施形態とことなる点についてのみ説明し、第１の実施形態と同様な点については、説明を省略する。
【００９３】
〔第２の実施形態〕
図８に、第２の実施形態に係る折りたたみ可能なカットソー３（以下、単に「カットソー」とも言う。）を示す。図８（Ａ）は正面図、（Ｂ）は右側面図、（Ｃ）は背面図、（Ｄ）は平面図、（Ｅ）は底面図である。なお、左側面図は、右側面図と対称に現れるため、省略する。カットソー３は、前身頃と後身頃からなる折りたたみ可能部３２を備え、折りたたみ可能部３２には袖４２が取り付けられている。折りたたみ可能部３２には、折り紙のいわゆる「二艘舟」を応用した縫製加工が施されており、片手でも容易に折りたたむことができる。
【００９４】
折りたたみ可能部３２は、折りたたみ可能部３２の裾に位置する折りたたみ可能部３２の伸長方向（カットソー３の上下方向）に交差する方向に延びる端辺１５と、端辺１５から伸長方向の一方の側に離間して、布帛を内側（肌に接する側）に折りたたみ可能に内側から縫い合わされた２つの切替谷折り部１３及び２つの切替谷折り部１３の間に連結して布帛を外側に折りたたみ可能に外側から縫い合わされた山折り部１２と、２つの切替谷折り部１３及び山折り部１２から伸長方向の一方の側に離間して、交差する方向に延びる第１の谷折り部１ｌａと、端辺１５の両端をそれぞれ山折り部１２の両端に連結して外側に折りたたみ可能に外側から縫い合わされた２つの第１の斜方山折り部１４ａと、第１の谷折り部１ｌａの両端をそれぞれ山折り部１２の両端に連結して外側に折りたたみ可能に外側から縫い合わされた２つの第２の斜方山折り部１４ｂと、を有する。また、折りたたみ可能部３２は、第１の谷折り部１ｌａから伸長方向の一方の側に離間して、布帛を内側に折りたたみ可能に内側から縫い合わされた２つの別の切替谷折り部１３及び２つの別の切替谷折り部１３の間に連結して布帛を外側に折りたたみ可能に外側から縫い合わされた別の山折り部１２と、２つの別の切替谷折り部１３及び前記山折り部１２から前記方向の一方の側に離間して、交差する方向に延びる第２の谷折り部１ｌｂと、第１の谷折り部１ｌａ両端をそれぞれ別の山折り部１２の両端に連結して外側に折りたたみ可能に外側から縫い合わされた２つの第３の斜方山折り部１４ｃと、第２の谷折り部１ｌｂの両端をそれぞれ別の山折り部１２の両端に連結して外側に折りたたみ可能に外側から縫い合わされた２つの第４の斜方山折り部１４ｄと、を更に有する。なお、カットソー３の折りたたみ可能部３２の長さに応じて、第２の谷折り部１ｌｂ、山折り部１２、切替谷折り部１３、第３並びに第４の斜方山折り部１４ｄ及び端辺１５が繰り返す数は、適宜定めれば良い。
【００９５】
また、端辺１５と、山折り部１２と、２本の第１の斜方山折り部１４ａと、は台形を形成し、第１の谷折り部１ｌａと山折り部１２と２本の第２の斜方山折り部１４ｂとは、別の台形を形成している。但し、端辺１５と、山折り部１２と、２本の第１の斜方山折り部１４ａと、が形成する四角形、及び、第１の谷折り部１ｌａと山折り部１２と２本の第２の斜方山折り部１４ｂと、が形成する四角形は、容易に折りたたむことが可能であれば、台形には限られず、例えば、正方形、長方形、又は平行四辺形であっても良い。
【００９６】
〔第２の実施形態の第１の変形形態〕
次に、第２の実施形態の第１の変形形態について説明する。なお、第２の実施形態と異なる点についてのみ説明し、第２の実施形態と同様な点については、説明を省略する。
【００９７】
図９に、第２の実施形態の第１の変形形態に係るカットソー３の模式図を示す。カットソー３は、前身頃と後身頃からなる折りたたみ可能部３２を備え、折りたたみ可能部３２には袖４２が取り付けられている。折りたたみ可能部３２には、折り紙のいわゆる「二艘舟」を応用した縫製加工が施されており、片手でも容易に折りたたむことができる。
【００９８】
折りたたみ可能部３２は、カットソー３の伸長方向に交差する方向に延びる第１の谷折り部１ｌａと、第１の谷折り部１ｌａから折りたたみ可能部３２の伸長方向の一方の側に離間して、布帛を内側に折りたたみ可能に内側から縫い合わされた２つの切替谷折り部１３及び２つの切替谷折り部１３の間に連結して布帛を外側に折りたたみ可能に外側から縫い合わされた山折り部１２と、２つの切替谷折り部１３及び前記山折り部１２から伸長方向の一方の側に離間して、交差する方向に延びる第２の谷折り部１ｌｂと、第１の谷折り部１ｌａの両端をそれぞれ山折り部１２の両端に連結して外側に折りたたみ可能に外側から縫い合わされた２つの第１の斜方山折り部１４ａと、第２の谷折り部１ｌｂの両端をそれぞれ山折り部１２の両端に連結して外側に折りたたみ可能に外側から縫い合わされた２つの第２の斜方山折り部１４ｂ、を有する。また、折りたたみ可能部３２の所望の長さに応じて、第２の谷折り部１ｌｂのカットソー３の伸長方向の一方の側に離間して、伸長方向に交差する方向に布帛を内側に折りたたみ可能に内側から縫い合わされた別の２つの切替谷折り部１３及び２つの別の切替谷折り部１３の間に連結して布帛を外側に折りたたみ可能に外側から縫い合わされた別の折り部１２と、別位の２つの切替谷折り部１３及び別の山折り部１２から伸長方向の一方の側に離間して、交差する方向に延びる第３の谷折り部１ｌｃと、第３の谷折り部１ｌｃの両端をそれぞれ別の山折り部１２の両端に連結して外側に折りたたみ可能に外側から縫い合わされた２つの別の第１の斜方山折り部１４ａと、第３の谷折り部１ｌｃの両端をそれぞれ別の山折り部１２の両端に連結して外側に折りたたみ可能に外側から縫い合わされた２つの別の第２の斜方山折り部１４ｂ、を更に有する。
【００９９】
また、第１の谷折り部１ｌａと、山折り部１２と、２本の第１の斜方山折り部１４ａと、は台形を形成し、第２の谷折り部１ｌｂと山折り部１２と２本の第２の斜方山折り部１４ｂとは、別の台形を形成している。
【０１００】
次に、第２の実施形態に係るコンパクトに折りたたみ可能なカットソー３の製作方法について説明する。
【０１０１】
図１０は、第２の実施形態に係るカットソー３の製作方法のフローチャートである。先ず、準備工程１０１において、カットソー３の着用者に合わせて、カットソー３の前身頃と後身頃に供する布帛を裁断する。次に、準備工程１０１において準備した前身頃及び後身頃のそれぞれについて、谷折り部形成工程１０２において、縫製品の伸長方向に交差する方向に所定の間隔で布帛を内側（肌が接する側）に折りたたみ、折り目に沿って内側からステッチ縫いを行い、谷折り部１１を形成する。次に山折り部形成工程１０３において、布帛を外側に折りたたみ外側から縫い合わせ山折り部１２を形成する。そして、切替谷折り部形成工程２０４において、山折り部１２の両端に連結して、布帛を内側に折りたたみ内側からステッチ縫いを行い、切替谷折り部１３を形成する。また、斜方山折り部形成工程２０５において、切替谷折り部１３と、谷折り部１１の一端と切替谷折り部１３と山折り部１２とが連結する一端を結んで布帛を外側に折りたたみ、外側からステッチ縫いで縫い合わせ斜方山折り部１４を形成する。その後、仕上げ工程１０５において、前身頃と後身頃とを縫い合わせ、更に、袖４２を縫い付けてカットソー３を完成させる。
【０１０２】
次に、第２の実施形態に係るカットソー３の製作方法の変形例について、説明する。図１１は、第２の実施形態に係るカットソー３の製作方法の変形例のフローチャートである。
【０１０３】
先ず、準備工程１０１において、カットソー３の着用者に合わせた大きさの台形の布帛と三角形の布帛を所定の枚数を準備する。次に、山折り部形成工程１０３において、２枚の台形の布帛のそれぞれの平行な短辺を内側に折りたたみ可能に内側から縫い合わせて山折り部１２を形成し、切替谷折り部形成工程２０４において、三角形の布帛を、当該三角形の一頂点と当該頂点に対応する辺の一点と、を内側に折りたたみ可能に内側から縫い合わせ切替谷折り部１３を形成する。そして、斜方山折り部形成工程２０５において、山折り部形成工程１０３で形成された布帛の台形の斜辺と、切替谷折り部形成工程２０４で形成された布帛の三角形の一頂点を形成する２辺と、を外側に折りたたみ可能に外側から縫い合わせて第１及び第２の斜方山折り部１４ａ、１４ｂを形成する。次に、谷折り部形成工程１０２において、斜方山折り部形成工程２０５で形成した布帛の台形の長辺を、他の布帛に内側から折りたたみ可能に内側から縫い合わせて第１の谷折り部１ｌａを形成する。その後、仕上げ工程１０５において、前身頃と後身頃とを縫い合わせ、更に、袖４２を縫い付けてカットソー３を完成させる。
【０１０４】
なお、準備工程１０１において、六角形の布帛を準備し、谷折り部形成工程１０２において、その六角形を相対する頂点を結んだ対角線を内側に折りたたみ可能に内側から縫い合わせて第１の谷折り部１ｌａを形成しても良い。また、切替谷折り部形成工程２０４において、三角形の１つの頂点からおろした垂線を内側に折りたたみ可能に内側から縫い合わせ切替谷折り部１３を形成しても良い。なお、谷折り部１１、山折り部１２、切替谷折り部１３、及び斜方山折り部１４を形成できれば、本実施例及び変形例の製作方法に限定される必要はなく、例えば、各工程の順番を入れ替えても良い。
【０１０５】
次に、カットソー３の折りたたみ方について、説明する。
【０１０６】
図１２の（Ａ）は折りたたみ可能部３２を折りたたんでいく過程を、（Ｂ）は完全に折りたたまれた状態を示す。カットソー３の折りたたむには、先ず、カットソー３を平らに置き、裾を手で持ち、肩に向かって持ち上げる。それに伴い、折りたたみ可能部３２の谷折り部１１と切替谷折り部１３は内側に折れ、山折り部１２と斜方山折り部１４は外側に折れ、肩に向かって下ろしていけば、折りたたみ可能部３２は蛇腹状に折りたたまれる。
【０１０７】
次に、第２の実施形態の第２の変形形態について説明する。なお、第２の実施形態及び第２の実施形態の第１の変形形態と異なる点についてのみ説明し、第２の実施形態及び第２の実施形態の第１の変形形態と同様な点については、説明を省略する。
【０１０８】
〔第２の実施形態の第２の変形形態〕
図１３に、第２の実施形態の第２の変形形態に係るカットソー３の模式図を示す。図１３（Ａ）は正面図であり、（Ｂ）は右側面図である。カットソー３は、前身頃と後身頃からなる折りたたみ可能部３２を備え、折りたたみ可能部３２には袖４２が取り付けられている。折りたたみ可能部３２には、折り紙のいわゆる「二艘舟」を応用した縫製加工が施されており、片手でも容易に折りたたむことができる。
【０１０９】
折りたたみ可能部３２は、カットソー３の裾に位置する折りたたみ可能部３２の伸長方向に交差する方向に延びる端辺１５と、端辺１５から折りたたみ可能部３２の伸長方向の一方の側に離間して、布帛を内側に折りたたみ可能に内側から縫い合わされた第１の谷折り部１ｌａと、第１の谷折り部１ｌａから伸長方向の一方の側に離間して、布帛を内側に折りたたみ可能に内側から縫い合わされた２つの切替谷折り部１３及び２つの切替谷折り部１３の間に連結して布帛を外側に折りたたみ可能に外側から縫い合わされた山折り部１２と、端辺１５の２点をそれぞれ第１の谷折り部１ｌａの両端に連結して外側に折りたたみ可能に外側から縫い合わされた２つの第２の斜方山折り部１４ｂと、第１の谷折り部１１ａの両端をそれぞれ山折り部１２の両端に連結して外側に折りたたみ可能に外側から縫い合わされた２つの第１の斜方山折り部１４ａと、を有する。また、折りたたみ可能部３２は、２つの切替谷折り部１３及び山折り部１２から伸長方向の一方の側に離間して、布帛を内側に折りたたみ可能に内側から縫い合わされた第２の谷折り部１ｌｂと、第２の谷折り部１ｌｂから伸長方向の一方の側に離間して布帛を内側に折りたたみ可能に内側から縫い合わされた他の２つの切替谷折り部１３及び２つの切替谷折り部１３の間に連結して布帛を外側に折りたたみ可能に外側から縫い合わされた他の山折り部１２と、第１の谷折り部１ｌａの両端をそれぞれ山折り部１２の両端に連結して外側に折りたたみ可能に外側から縫い合わされた２つの第１の斜方山折り部１４ａと、第１の谷折り部１ｌａの両端をそれぞれ他の山折り部１２の両端に連結して外側に折りたたみ可能に外側から縫い合わされた２つの第２の斜方山折り部１４ｂと、を更に有する。なお、カットソー３の折りたたみ可能部３２の長さに応じて、山折り部１２、切替谷折り部１３、第１並びに第２の斜方山折り部１４ｂ及び第１の谷折り部１ｌａが繰り返す数は、適宜定めれば良い。
【０１１０】
〔第２の実施形態の第３の変形形態〕
次に、第２の実施形態の第３の変形形態に係るカットソー３について説明する。なお、第２の実施形態、第２の実施形態の第１及び第２の変形形態と異なる点についてのみ説明し、第２の実施形態、第２の実施形態の第１及び第２の変形形態と同様な点については、説明を省略する。
【０１１１】
図１４は、第２の実施形態の第３の変形形態に係るカットソー３の模式図である。カットソー３は、前身頃と後身頃からなる折りたたみ可能部３２を備え、折りたたみ可能部３２には袖４２が取り付けられている。折りたたみ可能部３２には、折り紙のいわゆる「二艘舟」を応用した縫製加工が施されており、片手でも容易に折りたたむことができる。
【０１１２】
折りたたみ可能部３２は、カットソー３の伸長方向に交差する方向に布帛を内側に折りたたみ可能に内側から縫い合わされた第１の谷折り部１ｌａと、第１の谷折り部１ｌａから伸長方向の一方の側に離間して、布帛を内側に折りたたみ可能に内側から縫い合わされた２つの切替谷折り部１３及び２つの切替谷折り部１３の間に連結して布帛を外側に折りたたみ可能に外側から縫い合わされた山折り部１２と、第１の谷折り部１ｌａから伸長方向の他方の側に離間して、布帛を内側に折りたたみ可能に内側から縫い合わされた他の２つの切替谷折り部１３及び２つの切替谷折り部１３の間に連結して布帛を外側に折りたたみ可能に外側から縫い合わされた他の山折り部１２と、第１の谷折り部１ｌａの両端をそれぞれ山折り部１２の両端に連結して外側に折りたたみ可能に外側から縫い合わされた２つの第１の斜方山折り部１４ａと、第２の谷折り部１ｌｂの両端をそれぞれ他の山折り部１２の両端に連結して外側に折りたたみ可能に外側から縫い合わされた２つの第２の斜方山折り部１４ｂと、を有する。また、折りたたみ可能部３２は、所望の折りたたみ可能部３２の長さに応じて、２つの切替谷折り部１３及び２つの切替谷折り部１３の間に連結する山折り部１２から伸長方向の一方の側に離間して布帛を内側に折りたたみ可能に内側から縫い合わされた第２の谷折り部１ｌｂと、第２の谷折り部１ｌｂから伸長方向の一方の側に離間して、布帛を内側に折りたたみ可能に内側から縫い合わされた２つの切替谷折り部１３及び２つの切替谷折り部１３の間に連結して布帛を外側に折りたたみ可能に外側から縫い合わされた山折り部１２と、第２の谷折り部１ｌｂの両端をそれぞれ山折り部１２の両端に連結して外側に折りたたみ可能に外側から縫い合わされた２つの第１の斜方山折り部１４ａと、第２の谷折り部１ｌｂの両端をそれぞれ第２の谷折り部１ｌｂから伸長方向の一方の側に離間する山折り部１２の両端に連結して外側に折りたたみ可能に外側から縫い合わされた２つの第２の斜方山折り部１４ｂと、を有しても良い。
【０１１３】
〔第２の実施形態の第４の変形形態〕
次に、第２に実施形態の第４の変形形態として、折りたたみ可能部３２の伸長方向の長さが短く、折りたたみが１段のバッグ２について説明する。
【０１１４】
図１５に、第２の実施形態の第４の変形形態に係るバッグ２を示す。図１５の（Ａ）は正面図、（Ｂ）は右側面図、（Ｃ）は平面図、（Ｄ）は底面図であり、（Ｅ）は、コンパクトに折り畳んでいく状態を示す参考正面図である。なお、背面図は正面図と、左側面図は右側面図と同一に現れる。また、第２の実施形態、第２の実施形態の第１乃至第３の変形形態と異なる点についてのみ説明し、第２の実施形態、第２の実施形態の第１乃至第３の変形形態と同様な点については、説明を省略する。
【０１１５】
バッグ２は、バッグ本体５１及び持ち手５２よりなり、バッグ本体５１の上部にバッグ２を手で保持するための持ち手５２が取り付けられている。バッグ本体５１は、布帛からなり、折りたたみ可能部３２を形成し、いわゆる「二艘舟」を応用した縫製加工が施され、片手でも容易に折りたたむことができる。
【０１１６】
バッグ本体５１は、縫製品の伸長方向に交差する方向に布帛を内側に折りたたみ可能に内側から縫い合わされた２つの切替谷折り部１３及び２つの切替谷折り部１３の間に連結して布帛を外側に折りたたみ可能に外側から縫い合わされた山折り部１２と、２つの切替谷折り部１３及び山折り部１２から折りたたみ可能部３２の伸長方向の両側に離間して、交差する方向に延びる第１及び第２の端辺１５ａ、１５ｂと、第２の端辺１５ｂの両端をそれぞれ山折り部１２の両端に連結して外側に折りたたみ可能に外側から縫い合わされた２つの第１の斜方山折り部１４ａと、第１の端辺１５ａの両端をそれぞれ山折り部１２の両端に連結して外側に折りたたみ可能に外側から縫い合わされた２つの第２の斜方山折り部１４ｂと、を有する。
【０１１７】
バッグ本体５１の底面は、縫い目５４で縫い合わされて閉じられて底５３を形成し、一方、上端は開口しており、バッグ本体５１の中に物を収納することができる。
【０１１８】
なお、第２の実施形態についても、折りたたみ可能部３２は、カットソー３の前身頃と後身頃のだけでなく、袖４２やパンツ１の股下、コート、ジャケットなどの衣服、又は袋物にも適用可能である。
【０１１９】
〔第３の実施形態〕
次に、本発明に係る第３の実施形態について説明する。第３の実施形態は、第２の実施形態と同様に折り紙のいわゆる「二艘舟」を応用したものである。第２の実施形態は山折り部１２と谷折り部１１が縫製品の端辺１５に対して略水平であるのに対し、第３の実施形態の山折り部１２と谷折り部１１は縫製品の端辺１５である裾４５に対して略垂直に設けられている点で異なる。なお、第１及び第２の実施形態とことなる点についてのみ説明し、第１及び第２の実施形態と同様な点については、説明を省略する。
【０１２０】
図１６は、本発明の第３の実施形態の折りたたみ可能なカットソー３を示す正面図である。カットソー３は、身頃と、襟ぐり４１を有する布帛からなるものである。身頃は、前身頃４３、後身頃４４からなり、前身頃４３と後身頃４４を重ね合わせて、カットソー３の伸長方向の左右の両端を伸長方向に略平行に縫い合わされたものである。襟ぐり４１は、身頃上端４６の略中央に開口とした。肩は、身頃上端４６の開口である襟ぐり４１の両端を縫い合わされることでなる。肩の両端と身頃の縫い合わされた上部とに袖４２を縫い合わせた。本実施形態の図１６には袖４２の記載があるが、カットソー３の袖４２は設けず、ノースリーブとしてもよい。また、本実施形態の図１６の襟ぐり４１の形状はラウンドネックであるが、Ｖネック、スクエアネック等任意の形状でよい。また、本実施形態では、着脱容易のため、後身頃４４の襟ぐり４１中央部に開閉可能な縦の切込みを設けたが、設けても設けなくてもよい。
【０１２１】
身頃には、縫製品の伸長方向に略平行の山折り部１２と谷折り部１１を交互に複数設けた。山折り部１２には、山折り部１２に略平行したステッチを設けた。ステッチの位置は山折り部１２の折目から任意の距離でよい。
【０１２２】
身頃下端の裾４５は、山折り部１２を頂点として略直角方向に谷折り部１１を端部とした２つの斜方山折り部１４を設けた。２つの斜方山折り部１４の間の、頂点とした山折り部１２から裾４５に向かって略垂直に切替谷折り部１３を設けた。斜方山折り部１４には、斜方山折り部１４に略平行したステッチを設けた。ステッチの位置は斜方山折り部１４の折目から任意の距離でよい。
【０１２３】
〔第３の実施形態の第１の変形形態〕
次に、本発明に係る第３の実施形態の第１の変形形態について説明する。なお、第１及び第２の実施形態とことなる点についてのみ説明し、第１及び第２の実施形態と同様な点については、説明を省略する。
【０１２４】
図１７は本発明の第３の実施形態の第１の変形形態の折りたたみ可能なカットソー３を示す正面図である。第３の実施形態との違いは、カットソー３の裾４５の切替谷折り部１３、斜方山折り部１４とそのステッチを身頃上端４６にも設けた点である。身頃上端４６は、山折り部１２を頂点として略直角方向に谷折り部１１を端部とした２つの斜方山折り部１４を設けた。２つの斜方山折り部１４の間の、頂点とした山折り部１２から身頃上端４６に向かって略垂直に切替谷折り部１３を設けた。斜方山折り部１４には、斜方山折り部１４に略平行したステッチを設けた。ステッチの位置は斜方山折り部１４の折目から任意の距離でよい。本実施形態の図１７から図２５には袖４２の記載があるが、カットソー３の袖４２は設けず、ノースリーブとしてもよい。また、本実施形態の図１７から図２５の襟ぐり４１の形状はラウンドネックであるが、Ｖネック、スクエアネック等任意の形状でよい。また、本実施形態では、着脱容易のため、後身頃４４の襟ぐり４１中央部に開閉可能な縦の切込みを設けたが、設けても設けなくてもよい。
【０１２５】
図１８は本発明の第３の実施形態の第１の変形形態の折りたたみ可能なカットソー３の身頃の布帛の折りたたみ方を示す説明図である。図中（１）は縫製品の伸長方向に略平行の山折り部１２と谷折り部１１を交互に複数設け、（２）は折りたたみ、（３）は裾４５と身頃上端４６を折りたたみ、（４）は裾４５と身頃上端４６の折りたたみを広げて、（５）は山折り部１２を頂点として略直角方向に谷折り部１１を端部として山折りにすることで斜方山折り部１４と、２つの斜方山折り部１４の間の頂点とした山折り部１２から裾４５又は身頃上端４６に向かって谷折りにすることで略垂直に切替谷折り部１３が設けられた布帛を表す。図１８の布帛はカットソー３の前身頃４３とすれば表から見たものであり、後身頃４４とすれば裏側から見たものである。
【０１２６】
図１９は本発明の第３の実施形態の第１の変形形態の折りたたみ可能なカットソー３の前身頃４３と後身頃４４の折りたたんだ布帛を組み合わせる方法を示す説明図である。
【０１２７】
図２０は本発明の第３の実施形態の第１の変形形態の折りたたみ可能なカットソー３の前身頃４３と後身頃４４と袖４２の布帛を組み合わせた完成状態を示す斜視図である。カットソー３の両脇を縫い合わせて、身頃上端４６の略中央の開口を襟ぐり４１とした。肩の両端と身頃の縫い合わされた上部とに袖４２を縫い合わせ、カットソー３とした。
【０１２８】
図２１は本発明の第３の実施形態の第１の変形形態の折りたたみ可能なカットソー３の複数枚の前身頃４３と複数枚の後身頃４４の折りたたんだ布帛を組み合わせる方法を示す説明図である。図中（１）は縫製品の伸長方向に略平行の中央部に山折り部１２を設け、（２）は山折り部１２と布帛の山折り部１２と平行の端部を山折り部１２に重ね、（３）は折りたたみ、（４）は裾４５と身頃上端４６を折りたたみ、（５）は裾４５と身頃上端４６の折りたたみを広げて、（６）は山折り部１２を頂点として略直角方向に谷折り部１１を端部として山折りにすることで斜方山折り部１４と、２つの斜方山折り部１４の間の頂点とした山折り部１２から裾４５又は身頃上端４６に向かって谷折りにすることで略垂直に切替谷折り部１３が設けられた布帛を表す。図２１の布帛はカットソー３の前身頃４３とすれば表から見た縦半分にあたり、後身頃４４とすれば裏側から見た縦半分にあたる。
【０１２９】
図２２は本発明の第３の実施形態の第１の変形形態の折りたたみ可能なカットソー３の複数枚の前身頃４３と複数枚の後身頃４４と袖４２の布帛を組み合わせる方法を示す説明図である。図２１の布帛を前身頃４３の縦左右に配置して中央部を縫い合わせ、後身頃４４も同様に構成した。
【０１３０】
図２３は本発明の第３の実施形態の第１の変形形態に係る折りたたみ可能なカットソー３の布帛の折りたたみ幅を狭めて折りたたんだ状態を示す正面図である。折りたたみ幅は任意でよく、幅が狭ければプリーツのような表現となる。
【０１３１】
〔第３の実施形態の折りたたみ方法〕
図２４は本発明の第３の実施形態の折りたたみ可能なカットソー３の第１の折りたたみ方法を示す説明図である。図中（１）、（２）のようにカットソー３を正面から見て前身頃４３の山折り部１２を摘まみ上げてからステッチ部分を重ねて、カットソー３の全体を折りたたむと、（３）のように袖４２が上下に立ち上がり、（４）のように山折り部１２と同等の位置で袖４２を折り返すことで、第３の実施形態の折りたたみ可能なカットソー３をコンパクトに簡便に確実に折りたたむことができる。
【０１３２】
図２５は本発明の第３の実施形態の折りたたみ可能なカットソー３の第２の折りたたみ方法を示す説明図である。図中（１）、（２）のようにカットソー３を正面から見て前身頃４３の脇線の山折り部１２を摘まみ上げてからステッチ部分を重ねて、カットソー３の全体を折りたたむと、（３）のように袖４２が立ち上がり、（４）のように山折り部１２と同等の位置で袖４２を折り返すことで、第３の実施形態の折りたたみ可能なカットソー３をコンパクトに簡便に確実に折りたたむことができる。
【０１３３】
第３の実施形態の本発明によれば、カットソー３は、身頃にカットソー３の伸長方向に略平行に山折り谷折りが交互に施されて山折り部１２と谷折り部１１が設けられ、山折り部１２には山折りに略平行にステッチが施されていることにより、縫製品である例えばカットソー３を折りたたむ際に山折り部１２のステッチで折りたたまれることにより谷折り部１１も同時にできて確実に片手でコンパクトに折りたたむことができ、折りたたんでも嵩張ることはない。また、谷折り部１１、切替谷折り部１３及び山折り部１２で折りたたまれることから、折りたたんだでも畳みじわが生じることもなく、着用時に美的な外観を損なうこともない。
【０１３４】
また、裾４５に斜方山折り部１４と切替谷折り部１３を設け、あわせて斜方山折り部１４に略平行したステッチを設けることにより、折りたたみ容易な機能を有する装飾を、カットソー３に付加することができる。
【０１３５】
第３の実施形態の第１の変形形態本発明によれば、裾４５に加えて身頃上端４６にも斜方山折り部１４と切替谷折り部１３を設け、あわせて斜方山折り部１４に略平行したステッチを設けることにより、裾４５と身頃上端４６に折りたたみ容易な機能を有する装飾を、カットソー３に付加することができる。
【０１３６】
第１の実施形態と第２の実施形態を比較すると、第１の実施形態は折りたたみ可能部３２の伸長方向の断面が略円形乃至略正方形を有する縫製品、例えば、パンツ１の股下、カットソー３の袖４２、断面が略円形又は略正方形を有するバッグ２などに適しており、第２の実施形態は、折りたたみ可能部３２の伸長方向の断面が略楕円乃至長方形を有する縫製品、例えば、カットソー３の前身頃及び後身頃、断面が略楕円又は略長方形を有するバッグ２などに適している。
【産業上の利用可能性】
【０１３７】
本発明に係る縫製品は、高齢者などであっても、片手でコンパクトに折りたたむことが容易であり、折りたたんでも嵩張ることはなく、整理することも容易となる。また、一般的に布帛に折り目を維持するためは、プリーツ加工を施す必要があるが、本発明に係る製作方法であれば、煩雑なプリーツ加工を施すことは不要であり、折りたたんでも嵩張ることのないコンパクトな縫製品を容易に縫製することが可能である。
【０１３８】
また、本発明に係る縫製品は、折り紙のいわゆる「風船の基本形」又は「二艘舟」を応用した谷折り部と山折り部を組み合わせたものであり、いわゆる「立体的折り紙」を応用した場合のように複雑な幾何学的条件を満たすは必要なく、複雑な型紙に基づくことなく容易に製作することができる。
【０１３９】
更に、本発明に係る縫製品は、折りたたみ部分（谷折り部・山折り部）が予め縫い込まれ、その谷折り部と山折り部に沿って折りたたまれることから、折りたたんでも畳みじわが目立つことなく、着用時に美感が損なわれることはない。
【符号の説明】
【０１４０】
１    パンツ
２    バッグ
３    カットソー
１１    谷折り部
１ｌａ  第１の谷折り部
１ｌｂ  第２の谷折り部
１ｌｃ  第３の谷折り部
１ｌｄ  第４の谷折り部
１２    山折り部
１３    切替谷折り部
１４    斜方山折り部
１４ａ  第１の斜方山折り部
１４ｂ  第２の斜方山折り部
１４ｃ  第３の斜方山折り部
１４ｄ  第４の斜方山折り部
１５    端辺
１５ａ  第１の端辺
１５ｂ  第２の端辺
３１    腹部
３２    折りたたみ可能部
４１    襟ぐり
４２    袖
４３    前身頃
４４    後身頃
４５    裾
４６    身頃上端
５１    バッグ本体
５２    持ち手
５３    底
５４    縫い目
１０１    準備工程
１０２    谷折り部形成工程
１０３    山折り部形成工程
１０４    折りたたみ可能部形成工程
１０５    仕上げ工程
２０４    切替谷折り部形成工程
２０５    斜方山折り部形成工程
【図１】
2020176368.tif 000003
【図２】
2020176368.tif 000004
【図３】
2020176368.tif 000005
【図４】
2020176368.tif 000006
【図５】
2020176368.tif 000007
【図６】
2020176368.tif 000008
【図７】
2020176368.tif 000009
【図８】
2020176368.tif 000010
【図９】
2020176368.tif 000011
【図１０】
2020176368.tif 000012
【図１１】
2020176368.tif 000013
【図１２】
2020176368.tif 000014
【図１３】
2020176368.tif 000015
【図１４】
2020176368.tif 000016
【図１５】
2020176368.tif 000017
【図１６】
2020176368.tif 000018
【図１７】
2020176368.tif 000019
【図１８】
2020176368.tif 000020
【図１９】
2020176368.tif 000021
【図２０】
2020176368.tif 000022
【図２１】
2020176368.tif 000023
【図２２】
2020176368.tif 000024
【図２３】
2020176368.tif 000025
【図２４】
2020176368.tif 000026
【図２５】
2020176368.tif 000027